(57)【要約】【課題】ＧＸ５３型の口金等を有する薄型デザインの照明装置において、照明装置本体の設置場所を移動させることなく、照明用のスポット光の照射位置を調整可能とする。【解決手段】口金本体１０に、面光源的な配光特性を有する蛍光灯３０と、この蛍光灯３０の点灯回路２０を収容する。一方、口金本体１０に対してスライド可能に構成した透光性の外殻ケース４０の投光部４２を凸レンズ状に形成し、蛍光灯３０から放射される光を、この凸レンズで集光してスポット光として外部に照射する。外殻ケース４０をスライドさせて、蛍光灯３０と凸レンズとの距離を調節することにより、照明用のスポット光の照射位置を調整することができる。【選択図】図１
2010267479.tif 000002
【特許請求の範囲】
【請求項１】
面光源的な配光特性を有する光源と、前記光源を点灯させる点灯回路と、前記光源および前記点灯回路を収容し、ソケットに挿入されて電力の供給を受ける口金部を有する本体と、前記本体に収容された前記光源の光放射面を覆う透光性を有する外殻ケースと、を備える照明装置において、
前記外殻ケースは、
前記光源から放射される光を集光して外部に照射する投光部と、
前記本体とスライド自在に係合して前記投光部と前記光源との距離を調節するためのスライド部と、
を有することを特徴とする照明装置。
【請求項２】
前記投光部は、凸レンズまたはフレネルレンズであることを特徴とする請求項１に記載の照明装置。
【請求項３】
前記光源は、複数のＵ字型のバルブを平面状に連続して接続した蛍光灯であることを特徴とする請求項１または２に記載の照明装置。
【請求項４】
前記光源は、複数の発光ダイオードを平面上に配置したもの、またはエレクトロルミネッセンスであることを特徴とする請求項１または２に記載の照明装置。
【請求項５】
前記口金部は、ＧＸ５３型の口金であることを特徴とする請求項１乃至４のいずれか１項に記載の照明装置。
【発明の詳細な説明】
【技術分野】
【０００１】
本発明は、蛍光灯やＬＥＤ（発光ダイオード）等の光源とその点灯回路を一体化して、天井等に設けられたソケットに直接取り付けることができる薄型の照明装置に関する。
【背景技術】
【０００２】
ＩＥＣ（国際電気標準会議）で規格化されたＧＸ５３型の口金は、光源である蛍光灯等の点灯回路（インバータ等）をハウジング内に収納することによって、照明装置の薄型デザインを可能とするものである。なお、ＧＸ５３型の口金は、ＪＩＳ（日本工業規格）でも、ＪＩＳ  Ｃ  ７７０９として規格化されている。
【０００３】
ＧＸ５３型の口金を有する照明装置は、口金の構造上、薄型デザインを特徴とするものが多い。薄型デザインの照明装置は、その構造上、光源を面方向に配置することによって面光源的な配光特性を有するので、使用環境の景観的調和を損ねることなく、直下の広い範囲を、比較的均一に照らすことができるという特徴がある。
【０００４】
なお、下記特許文献１，２には、ＧＸ５３型の口金を有する照明器具が記載されている。特許文献１の照明器具は、光源である蛍光灯における水銀蒸気圧の過度の上昇を抑えて、発光効率を向上させるために、蛍光灯の発光管からアマルガム専用細管を延設し、その延設部を照明器具のグローブの周縁部に接近させて温度を下げるようにしている。一方、特許文献２の照明器具は、蛍光灯から発する熱によって点灯回路や口金部の温度が異常に上昇することを防止するために、蛍光灯の熱を遮る仕切板や、蛍光灯の熱を外周部に放出するアルミニウム製のホルダを設けている。
【０００５】
また、特許文献３には、壁面の下部から床面を照射する照明器具が記載されている。この照明器具は、光源による照射面とほぼ平行方向にスライド自在なホルダを設け、このホルダによって透光部材と光源の距離を可変とすることによって、配光を調節するようにしている。
【先行技術文献】
【特許文献】
【０００６】
【特許文献１】特開２００７−１５７３６７号公報
【特許文献２】特開２００７−１８００１１号公報
【特許文献３】特開２００８−２９３９１０号公報
【発明の概要】
【発明が解決しようとする課題】
【０００７】
しかしながら、例えば前記特許文献１，２の照明器具は、発光効率や温度上昇防止に工夫を凝らしているが、光源自体は通常の面光源となっている。このため、比較的広い範囲を均一に照らすことには向いているが、スポット的な光の照射には向いていない。従って、商品のライトアップ等のように、スポット的な光の照射が必要な環境には適さないという課題があった。
【０００８】
また、特許文献３の照明器具は、光源として白熱電球等の点光源を用いており、天井等のソケットに直接取り付ける薄型デザインには適さない構造となっている。
【０００９】
本発明は上記課題に鑑みてなされたものであり、例えばＧＸ５３型の口金等を有する薄型デザインの照明装置において、照明装置本体の設置場所を移動させることなく、スポット光の照射位置を調整可能とすることを目的とする。
【課題を解決するための手段】
【００１０】
上記目的を達成するために、本発明は、面光源的な配光特性を有する光源と、前記光源を点灯させる点灯回路と、前記光源および前記点灯回路を収容し、ソケットに挿入されて電力の供給を受ける口金部を有する本体と、前記本体に収容された前記光源の光放射面を覆う透光性を有する外殻ケースと、を備える照明装置において、前記外殻ケースは、前記光源から放射される光を集光して外部に照射する投光部と、前記本体とスライド自在に係合して前記投光部と前記光源との距離を調節するためのスライド部と、を有することを特徴とする。
【発明の効果】
【００１１】
本発明の照明装置は、本体に収容された光源から放射される光を集光して外部に照射する投光部と、この投光部と光源との距離を調節するためのスライド部を有する外殻ケースを備え、このスライド部によって本体とスライド自在に係合するように構成している。従って、本体に対して外殻ケースをスライドさせることにより、照明装置本体の設置場所を移動させることなく、スポット光の照射位置を調整可能とすることができる。
【図面の簡単な説明】
【００１２】
【図１】本発明の実施形態を示す照明装置の構成図である。
【図２】図１の使用例を示す説明図である。
【発明を実施するための形態】
【００１３】
以下、本発明の実施形態について図面を参照して詳細に説明する。
図１（ａ）は、本発明の実施形態を示す照明装置の一部を切り欠いた側面図であり、同図（ｂ）は、この照明装置を下側（光の照射面側）から見た平面図である。
【００１４】
図１（ａ）及び図１（ｂ）に示すように、本発明の実施形態の照明装置は、大きく分けて、口金本体１０と、点灯回路２０と、蛍光灯３０と、外殻ケース４０とで構成されている。なお、以下の説明では、図に示す方向に基づいて、上下等の位置関係を示すものとする。
【００１５】
口金本体１０は、部屋の天井等に配置された図示しないＧＸ５３型のソケットに嵌合されて固定されると共に、電気的に接続されて電力の供給を受けるものである。また、この口金本体１０は、点灯回路２０や蛍光灯３０を収容する容器の役割を担っている。
【００１６】
口金本体１０は、円環板状をなす基板部１１と、この基板部１１の内側の縁部から円筒状をなして上側に突設された筒部１２と、この筒部１２の上端部を閉塞する天井部１３とが、絶縁性を有する樹脂でほぼ円盤状に一体形成されている。そして、この筒部１２と天井部１３とで囲まれた空間領域が点灯回路２０の収容部となっている。また、筒部１２の外周面には、図示しないソケットの係合保持部に係脱可能に係合して保持される係合保持受部１２ａが、Ｌ字型に凹設して形成されている。
【００１７】
更に、基板部１１の外周部近傍でこの基板部１１の中心に対して点対称となる位置に、基板部１１を上下に貫通する貫通孔が２箇所設けられており、これらの貫通孔に口金ピン１４が挿入されている。口金ピン１４は、円柱状をなす軸部１４ａと、この軸部１４ａの下端部から下方に突設された接続部１４ｂと、この接続部１４ｂの上側に位置して軸部１４ａの外周部に突設されたフランジ部１４ｃと、軸部１４ａの上端部からＴ字型の断面を有するように突設されたプラグ部１４ｄとが、導電性を有する金属で一体形成されたものである。
【００１８】
口金ピン１４の軸部１４ａは、基板部１１の貫通孔に下側から圧入され、フランジ部１４ｃがこの基板部１１の下側の面に密着している。更に、口金ピン１４のプラグ部１４ｄは、基板部１１の上側に突出している。そして、天井等への取付時には、プラグ部１４ｄが、ソケットの給電孔に挿入されて電力の供給を受けると共に、係合保持受部１２ａと協働してソケットに機械的に保持されるようになっている。
【００１９】
更に、基板部１１の外周部には、外殻ケース４０をスライド自在に保持するための円筒状のスライド部１５が固定されている。そして、スライド部１５の先端部には、外殻ケース４０の脱落を防止するための突起１５ａが、外側に向けて形成されている。このスライド部１５は、基板部１１の外周部に接着剤等で固定しても良いし、基板部１１や筒部１２や天井部１３と共に、絶縁性を有する樹脂で一体形成しても良い。
【００２０】
点灯回路２０は、ソケットから口金ピン１４を介して供給される商用電力を、蛍光灯３０の点灯に適した高周波電力に変換するもので、回路基板２１と、この回路基板２１上に実装されたトランジスタ、キャパシタ、インダクタ、トランス等の電気部品２２とで構成されている。回路基板２１に実装された電気部品２２は、口金本体１０の筒部１２と天井部１３とで囲まれた空間領域に収まるように配置され、この回路基板２１の周辺部が口金本体１０の基板部１１に、ねじ等によって固定されている。
【００２１】
蛍光灯３０は、例えばＵ字型に屈曲された３本のバルブ３１，３２，３３を、連通管３４を使用して平面状に順次接続し、１本の連続した放電路を形成したものである。バルブ３１〜３３の内面には、例えば３波長型の蛍光体が塗布され、内部にはアルゴン（Ａｒ）、ネオン（Ｈｅ）、クリプトン（Ｋｒ）等の希ガスや、水銀（Ｈｇ）等を含む封入ガスが封入されている。バルブ３１〜３３で形成された１本の放電路の両端には、電極であるフィラメントコイルが設けられ、このフィラメントコイルからリード線３５がバルブの外側に引き出され、点灯回路２０に接続されている。なお、蛍光灯３０は、例えば接着剤によって、点灯回路２０の回路基板２１の裏面等に固定されている。
【００２２】
外殻ケース４０は、口金本体１０の内側に収容された点灯回路２０や蛍光灯３０を覆って保護すると共に、この蛍光灯３０から放射される光を集光して照射する機能を有している。外殻ケース４０は、透光性のある合成樹脂等で一体形成され、口金本体１０のスライド部１５に被せてスライドできるように構成された円筒部４１と、この円筒部４１の下端部を閉塞する投光部４２とを備えている。なお、投光部４２は、凸レンズを形成するように、中央部が厚く周辺部が薄くなるように形成されている。
【００２３】
円筒部４１の先端部の内側には、スライド部１５からの脱落を防止するための突起４１ａが形成されている。そして、外殻ケース４０をスライドさせて口金本体１０から最大限に引き出したときに、円筒部４１の突起４１ａとスライド部１５の突起１５ａが引っかかり、外殻ケース４０が脱落しないようになっている。更に、外殻ケース４０の円筒部４１と口金本体１０のスライド部１５とのそれぞれの接触面には、摩擦力によって外殻ケース４０の滑落を防止し、スライドさせた位置でこの外殻ケース４０を保持するための細かな凹凸が付けられている。
【００２４】
この照明装置は、保存時、運搬時および取付時には、図１（ａ）に示すように、口金本体１０を外殻ケース４０内に深く押し込んだ状態に保持される。これにより、厚さが薄くなり、保存等に必要なスペースを最小限に抑えることができる。
【００２５】
この照明装置を天井等に配置されたＧＸ５３型のソケットに取り付けるときには、口金本体１０の筒部１２の外周面に形成された係合保持受部１２ａを、ソケットの係合保持部に合わせて挿入する。これにより、口金本体１０の筒部１２がソケットに挿入されると共に、口金ピン１４のプラグ部１４ｄがソケットの給電孔に正しく挿入される。この状態で、口金本体１０を右方向に回すと、係合保持受部１２ａが、ソケットの係合保持部に係止されると共に、プラグ部１４ｄがソケット側の電極に正しく接触され、電力の受給が可能になる。
【００２６】
ソケット側から供給される電力は、口金ピン１４を介して点灯回路２０に与えられ、蛍光灯３０の点灯に適した電力に変換されて、この蛍光灯３０を点灯する。蛍光灯３０は、面光源となるように構成されており、比較的広い範囲に均一な光を放射する。蛍光灯３０から放射された光は、外殻ケース４０の投光部４２を通して、外部に照射される。投光部４２は凸レンズを構成しているので、蛍光灯３０から放射された光は、この投光部４２で集光されて外部に照射される。
【００２７】
外殻ケース４０は、口金本体１０に対してスライドできるように構成されているので、図２に示すように、この外殻ケース４０をスライドさせることにより、蛍光灯３０と凸レンズである投光部４２との距離を変化させることができる。そして、蛍光灯３０と投光部４２の距離に応じて、スポット光の照射位置が変化する。従って、口金本体１０をソケットに取り付けて点灯させた状態で、外殻ケース４０を引き出してスポット光の照射位置を調整することができる。
【００２８】
以上詳細に説明したように、本実施形態の照明装置は、口金本体１０に固定されて面光源的な配光特性を有する蛍光灯３０と、この蛍光灯３０から放射される光を集光して外部に照射する投光部４２を有する外殻ケース４０を備え、この外殻ケース４０を口金本体１０に対してスライド可能なように構成している。従って、外殻ケース４０の引き出し量を加減するだけで、照明装置本体の設置場所を移動させることなく、スポット光の照射位置を調整することができるという利点がある。
【００２９】
なお、本発明は、上記実施形態に限定されるものではなく、下記のような種々の変形が可能である。
（ａ）  口金本体１０の構造は、例示したものに限定されない。即ち、口金本体１０で構成する口金は、ＧＸ５３型のものに限定されない。例えば、白熱電灯等にも用いられている引掛け型ローゼットでも良い。その場合、口金ピン１４等は、口金の形式に合致するものに変更する必要がある。
（ｂ）  点灯回路２０の回路基板２１の裏面に、蛍光灯３０を接着剤で固定しているが、この蛍光灯３０の固定方法は、例示した方法に限定されない。即ち、蛍光灯３０は、外殻ケース４０ではなく、口金本体１０側に固定されていれば良い。
（ｃ）  光源としての蛍光灯３０は、３個のＵ字型のバルブ３１〜３３を連結したものに限定されない。例えば、渦巻き型のバルブを使用したものでも良い。更に、光源は、蛍光灯に限定されず、ＬＥＤやＥＬ（エレクトロ・ルミネッセンス）を使用することができる。この場合、点灯回路２０は、光源に合わせた回路にする必要がある。
（ｄ）  外殻ケース４０の円筒部４１は、円筒形である必要はない、四角、六角、八角、楕円等、任意の形状で構成することができる。その場合、口金本体１０のスライド部１５の形状も、外殻ケース４０の形状に合わせる必要がある。
（ｅ）  投光部４２の凸レンズに代えて、フレネルレンズを用いることができる。フレネルレンズを用いることにより、照明装置自体の厚さと重量の増加を抑えることができる。
（ｆ）  この照明装置は、部屋の天井に取り付けるだけでなく壁面に取り付けることもできる。更に、小型・薄型の特徴を活かして、食器棚や家具内の明かり取りや、化粧台や洗面台のスポット光としても使用するすることができる。
【符号の説明】
【００３０】
１０    口金本体
１１    基板部
１２    筒部
１２ａ    係合保持受部
１３    天井部
１４    口金ピン
１４ａ    軸部
１４ｂ    接続部
１４ｃ    フランジ部
１４ｄ    プラグ部
１５    スライド部
１５ａ，４１ａ    突起
２０    点灯回路
２１    回路基板
２２    電気部品
３０    蛍光灯
３１〜３３    バルブ
３４    連通管
３５    リード線
４０    外殻ケース
４１    円筒部
４２    投光部
【図１】
2010267479.tif 000003
【図２】
2010267479.tif 000004